(57)【要約】【課題】循環ファンモータの吸入、排出によって攪拌する熱気の風速の不均一によって炉内にエアポケットによる熱気の吹き溜まりの発生や風速の不均一によって被半田付物上の電子部品に微細な実装位置ズレを発生させてしまう問題がある。【解決手段】炉内の熱気を炉内で流動させ、この流動熱気を炉内に導入した被半田付物に接触させて被半田付物上の半田を溶融させると共にこの溶融半田で被半田付物に実装した電子部品を被半田付物に半田付する装置において、上記炉内の熱気の流動方法が、炉外に設けた加圧供給装置により加圧供給装置に連通したノズルと、ノズルと対抗し、ノズルからの噴出気体を炉内熱気中に跳ね返す反射板を設けて炉内に気体を圧力的に吹き込んで流動させる。【選択図】        図１
2004237303.tif 000002
【特許請求の範囲】
【請求項１】
炉内の熱気を炉内で流動させ、この流動熱気を炉内に導入した被半田付物に接触させて被半田付物上の半田を溶融させると共にこの溶融半田で被半田付物に実装した電子部品を被半田付物に半田付する装置において、上記炉内の熱気の流動方法が、炉外に設けた加圧供給装置により炉内に気体を圧力的に吹き込んで流動させることを特徴とするリフロー式半田付装置における炉内熱気の流動方法。
【請求項２】
請求項１のリフロー式半田付装置において、炉内に気体の加圧供給装置に連通したノズルと、ノズルと対向し、ノズルからの噴出気体を炉内熱気中に跳ね返す反射板を設けたことを特徴とするリフロー式半田付装置における炉内熱気の流動装置。
【発明の詳細な説明】
【０００１】
【  発明の属する技術分野  】本発明は、プリント基板等の被半田付物に電子部品を半田付けする通称リフロー式半田付装置の特に炉内熱気の流動方法及び装置に関する。
【０００２】
【従来の技術】本発明との比較において好適な従来の炉内熱気の流動方法及び装置としては、図５のように炉Ｒ内ヒーターＨにて加熱された炉Ｒ内の熱気Ｇを炉Ｒ上の循環ファンモータＦｍによって炉Ｒ内に設けたファンＦを回転させることにより熱気Ｇを循環流動させる方式である。
【０００３】
【本発明が解決しようとする課題】上記従来技術で述べた方式では、循環ファンモータＦｍによるファンＦの回転による吸入、排出によって攪拌する熱気Ｇの風速の不均一によって炉Ｒ内にエアポケットによる熱気の吹き溜まりが発生する問題がある。
【０００４】
さらに、被半田付物Ｐに吹き付けられた熱気はフラックスミストを含んだ熱気となって炉Ｒ内を循環し、フラックスミストを含んだ汚れた熱気が被半田付物Ｐに吹き付けられると云う問題がある。
【０００５】
さらに、上記ファンＦによる熱気Ｇの風速の不均一によって被半田付物Ｐ上の電子部品に微細な実装位置ズレを発生させてしまう問題がある。
【０００６】
また、ファンモータＦｍを炉Ｒ上に設置しているために、熱気Ｇによる高温下における連続運転によって軸受けＫ及びファンモータＦｍの故障が発生し、定期的な点検及び部品交換が必要である。
【０００７】
上記のことから敢えて複雑な構造の循環及び整流機構を設ける必要があった。
【０００８】
【問題を解決するための手段】前述の課題を解決するため、本発明に係るリフロー式半田付装置における炉内熱気の流動方法及び流動装置は次のような手段を採用する。
【０００９】
即ち、請求項１では、炉内の熱気を炉内で流動させ、この流動熱気を炉内に導入した被半田付物に接触させて被半田付物上の半田を溶融させると共にこの溶融半田で被半田付物に実装した電子部品を被半田付物に半田付する装置において、上記炉内の熱気の流動方法が、炉外に設けた加圧供給装置により炉内に気体を圧力的に吹き込んで流動させることを特徴とする。
【００１０】
また、請求項２では、請求項１のリフロー式半田付装置において、炉内に気体の加圧供給装置に連通したノズルと、ノズルと対抗し、ノズルからの噴出気体を炉内熱気中に跳ね返す反射板を設けたことを特徴とする。
【００１１】
【発明の実施の形態】以下、本発明に係わるリフロー式半田付装置における炉内熱気の流動方法及び流動装置の実施の形態を図面に基づいて説明する。
【００１２】
この実施の形態では、電子部品を実装した被半田付物Ｐへ半田付するリフロー式半田付装置に適用されたものを示している。
【００１３】
この実施の形態におけるリフロー式半田付装置の流動装置の構造は、加圧した空気Ｇを送給する炉Ｒ外に設けた加圧供給装置Ａと、炉Ｒ内には空気Ｇを炉Ｒ内に噴出する上記加圧供給装置Ａに連通したノズルＮと、噴出した空気Ｇを跳ね返す反射板Ｍと、炉Ｒ内を流動する空気Ｇを加熱するヒーターＨと、加熱され熱気となった空気Ｇを整流する整流板Ｓと、電子部品を実装した被半田付物Ｐを順送する搬送コンベアＢとからなり、炉Ｒは搬送コンベアＢに対向して上下に配設して構成している。
【００１４】
上記加圧供給装置Ａは、空気Ｇの供給量、圧力を調整する機構と常温及び加温する機構を備えている。
【００１５】
ノズルＮは図１、図２に示すように二重管構造になっていて、内管Ｎａと外管Ｎｂには空気Ｇを噴出するための多数の噴出孔Ｄａ、Ｄｂが互いに一致しないように配設されており、外管Ｎｂの噴出孔Ｄｂは反射板Ｍに対向されている。
【００１６】
上記二重管構造とすることで炉Ｒ内への空気Ｇの噴出力を一定に保つ働きを成している。
【００１７】
炉Ｒ内の天壁には炉Ｒ内を一杯に覆う断面緩円弧状の反射板Ｍが設けられ、この反射板ＭにノズルＮが指向されている。
【００１８】
炉Ｒ内の天壁は直接断緩面円弧状に形成した反射板Ｍにおきかえてもよい。
【００１９】
上記の反射板Ｍによって炉Ｒ内を拡散流動する空気Ｇは、反射板Ｍによって跳ね返され炉Ｒ内を平面的にみて蛇行配設したヒーターＨ間を通過し、加熱されて熱気となり整流板Ｓへ流れながら炉Ｒ内を流動する。
【００２０】
整流板Ｓには多数の整流孔Ｓａが設けられており、熱気となった空気Ｇは整流孔Ｓａを通過して風速が均一に整流されて被半田付物Ｐの電子部品に吹き付けられ半田付が行われる。
【００２１】
被半田付物Ｐに吹き付けられた空気Ｇはそのまま炉Ｒ外に排出され、炉Ｒ内を循環しない方式である。
【００２２】
また、上記の炉Ｒ内を循環しない方式の他に、フラックスミストフィルターに依りフラックスミスト回収後、炉Ｒ内に戻す方式としてもよい。
【００２３】
また、本願実施の形態では二重管構造としているが、空気Ｇの圧力や流量に応じてさらに多重管構造としてもよく、あるいは単重管構造としてもよい。
【００２４】
なお、上記の流動装置に用いる気体には、空気の代わりに窒素ガスを用いて窒素リフロー式半田付装置とすることもできる。
【００２５】
【発明の効果】以上のように、本発明に係るリフロー式半田付装置における炉内熱気の流動方法によれば、気体を流動するための複雑な循環ファン機構を採用しないため、従来の複雑な循環ファンモータを用いた装置のように風速の不均一によるエアーポケットに依る熱気の吹き溜まり等を無くし良好な熱気の流動を計ることができる。
【００２６】
また、請求項２として該流動装置によれば、従来の複雑な循環ファンモータを採用しないことで構造を簡素化することができる。
【００２７】
さらに、ノズルから噴出する気体を反射板で跳ね返し炉内に拡散し流動することで、微小な電子部品の位置ズレ等の発生を防ぐことができる。
【００２８】
さらに、従来の複雑な循環ファンモータを採用しないことで、炉内の熱気による高温下における循環ファンモータの軸受及び循環ファンモータが故障するなどの問題はなく、定期的な点検や部品交換などをする必要がない。
【００２９】
さらに、被半田付物に吹き付けられた気体は炉外へ排出されて炉内を循環しないため、フラックスミストを含まないクリーンな気体を供給できる効果がある。
【００３０】
また、フラックスミスト回収後、炉Ｒ内に戻す方式においてもフラックスミストフィルターの負荷を軽減出来る。
【図面の簡単な説明】
【図１】本発明に係わるリフロー式半田付装置における炉内熱気の流動方法及び流動装置の一例を示す図である。
【図２】本発明に係わるリフロー式半田付装置における炉内熱気の流動方法及び流動装置のノズルと反射板の状態の一例を示す図である。
【図３】本発明に係わるリフロー式半田付装置における炉内熱気の流動装置のノズルの二重管構造の一例を示す図である。
【図４】本発明に係わるリフロー式半田付装置における炉内熱気の流動装置のノズルの二重管構造断面の一例を示す図である。
【図５】従来のリフロー式半田付装置及び循環方式の一例を示す図である。
【記号の説明】
Ａ    加圧供給装置
Ｂ    搬送コンベア
Ｄａ  噴出孔（ノズルの内管）
Ｄｂ  噴出孔（ノズルの外管）
Ｆ    ファン
Ｆｍ  循環ファンモータ
Ｇ    空気（熱気）
Ｈ    ヒーター
Ｋ    軸受け
Ｍ    反射板
Ｎ    ノズル（内管と外管）
Ｎａ  内管（ノズルの内管）
Ｎｂ  外管（ノズルの外管）
Ｐ    被加熱物（搬送コンベア上にある）
Ｒ    リフロー装置炉体
Ｓ    整流板
Ｓａ  整流ノズル
Ｔ    天壁（炉の天壁）
【図１】
2004237303.tif 000003
【図２】
2004237303.tif 000004
【図３】
2004237303.tif 000005
【図４】
2004237303.tif 000006
【図５】
2004237303.tif 000007